【手続補正書】
【提出日】平成18年6月15日(2006.6.15)
【手続補正１】
【補正対象書類名】明細書
【補正対象項目名】特許請求の範囲
【補正方法】変更
【補正の内容】
【特許請求の範囲】
【請求項１】  複数の文書データを処理して印刷装置に印刷データを出力するデータ処理装置であって、
前記複数の文書データを統合して両面印刷するための両面属性情報を含む印刷順序リストを作成する作成手段と、
前記作成手段により作成された前記印刷順序リストおよび各文書データ中の前記両面属性情報の設定状態に基づき、連続する複数文書データの一部に対して両面印刷を指示するように頁処理を制御する制御手段と、
を有することを特徴とするデータ処理装置。
【請求項２】  前記両面属性情報は、各文書データを片面印刷するか両面印刷するかを指定する両面フラグと、前頁に続けて両面印刷する際の開始面を表面または裏面または継続のいずれかを指定する開始面情報とを含むことを特徴とする請求項１記載のデータ処理装置。
【請求項３】  前記制御手段は、前記作成手段により作成された前記印刷順序リストおよび各文書データ中の前記両面属性情報中の開始面に対する設定状態に基づき、前頁に続けて、あるいは前頁の裏面を白紙頁として次頁の表面から、あるいは次頁の表面を白紙頁として裏面から連続する複数文書データが１つのジョブとして順次印刷されるように頁処理を制御することを特徴とする請求項１または２に記載のデータ処理装置。
【請求項４】  前記制御手段は、印刷順序リストに項目が存在するか判定し、項目が存在していれば前頁の印刷状態を表わす変数を初期設定し、印刷装置にジョブ開始コマンドを送出し、全ての印刷順序リストの項目の文書に対し、両面切り替え処理、前頁排紙処理、表面スキップ処理、文書印刷処理、印刷頁数入手処理、前頁印刷状態更新処理を行い、印刷順序リストに次の項目がなくなったら印刷装置にジョブ終了コマンドを送出することを特徴とする請求項１乃至３のいずれか１項に記載のデータ処理装置。
【請求項５】  前記両面切り替え処理は、前頁印刷状態が片面であり、かつ両面属性の両面フラグがＯＮであれば、印刷装置に両面ＯＮコマンドを送出し、前頁印刷状態が片面でなく、かつ両面属性の両面フラグがＯＦＦであれば、印刷装置に両面ＯＦＦコマンドを送出することを特徴とする請求項４記載のデータ処理装置。
【請求項６】  前記前頁排紙処理は、前頁印刷状態が表面であるか判定し、表面であれば両面属性の両面フラグと開始面属性を判定し、両面フラグがＯＦＦであるか、もしくは開始面属性が継続でなければ、印刷装置に排紙コマンドを送出することを特徴とする請求項４または５に記載のデータ処理装置。
【請求項７】  前記表面スキップ処理は、両面属性の両面フラグがＯＮで、かつ開始面属性が裏面であれば、出力装置に改頁コマンドを送出することを特徴とする請求項４乃至６のいずれか１項に記載のデータ処理装置。
【請求項８】  前記前頁印刷状態更新処理は、両面属性の両面フラグがＯＮであるか判定し、ＯＦＦであれば前頁印刷状態を片面に設定し、ＯＮであれば前頁印刷状態が表面であるか判定し、表面であれば前記印刷頁数の入手処理によって入手した印刷頁数を１頁加算し、表面でなければ印刷頁数が奇数かどうか判定し、奇数であれば前頁印刷状態を表面に設定し、偶数であれば前頁印刷状態を裏面に設定することを特徴とする請求項４乃至７のいずれか１項に記載のデータ処理装置。
【請求項９】  前記制御手段は、前記印刷装置に印刷制御情報を転送することを特徴とする請求項１乃至８のいずれか１項に記載のデータ処理装置。
【請求項１０】  複数の文書データを処理して印刷装置に印刷データを出力するデータ処理装置におけるデータ処理方法であって、
前記複数の文書データを統合して両面印刷するための両面属性情報を含む印刷順序リストを作成する作成ステップと、
前記作成ステップにより作成された前記印刷順序リストおよび各文書データ中の  前記両面属性情報の設定状態に基づき、連続する複数文書データの一部に対して両面印刷を指示するように頁処理を制御する制御ステップと、
を有することを特徴とするデータ処理方法。
【請求項１１】  請求項１０に記載のデータ処理装置をコンピュータに実行させるためのプログラムを格納したことを特徴とするコンピュータが読み取り可能な記憶媒体。
【手続補正２】
【補正対象書類名】明細書
【補正対象項目名】０００５
【補正方法】変更
【補正の内容】
【０００５】
本発明は、上記の課題を解決するためになされたもので、本発明の目的は、複数の文書データを１つのジョブとして印刷する際に、特定の文書データを部分的に両面印刷して、ユーザによる両面印刷要求に対して柔軟に対応できる仕組みを提供することである。
【手続補正３】
【補正対象書類名】明細書
【補正対象項目名】０００６
【補正方法】変更
【補正の内容】
【０００６】
【課題を解決するための手段】
本発明に係るデータ処理装置は、以下の特徴的構成を備える。
複数の文書データを処理して印刷装置に印刷データを出力するデータ処理装置であって、前記複数の文書データを統合して両面印刷するための両面属性情報を含む印刷順序リストを作成する作成手段と、前記作成手段により作成された前記印刷順序リストおよび各文書データ中の前記両面属性情報の設定状態に基づき、連続する複数文書データの一部に対して両面印刷を指示するように頁処理を制御する制御手段とを有することを特徴とする。
【手続補正４】
【補正対象書類名】明細書
【補正対象項目名】０００７
【補正方法】変更
【補正の内容】
【０００７】
本発明に係るデータ処理方法は、以下の特徴的構成を備える。
複数の文書データを処理して印刷装置に印刷データを出力するデータ処理装置におけるデータ処理方法であって、前記複数の文書データを統合して両面印刷するための両面属性情報を含む印刷順序リストを作成する作成ステップと、前記作成ステップにより作成された前記印刷順序リストおよび各文書データ中の  前記両面属性情報の設定状態に基づき、連続する複数文書データの一部に対して両面印刷を指示するように頁処理を制御する制御ステップとを有することを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００９４
【補正方法】変更
【補正の内容】
【００９４】
【発明の効果】
以上説明したように、本発明によれば、複数の文書データを１つのジョブとして印刷する際に、特定の文書データを部分的に両面印刷して、ユーザによる両面印刷要求に対して柔軟に対応できる。